(57)【要約】【課題】小型かつ簡単な構成でカラーカメラから出力される映像信号を任意の色に色較正する。【解決手段】開示されるカラーカメラの較正システムは、赤色発光ＬＥＤ１１、緑色発光ＬＥＤ１２及び青色ＬＥＤ１３から各々放射される赤色の基準光、緑色の基準光及び青色の基準光が合成された合成基準光ＬＲＧＢを発生する基準光発生装置１と、赤色ＬＥＤ１１、緑色ＬＥＤ１２及び青色ＬＥＤ１３の各々の発光波長データＤＲ，ＤＧ，ＤＢと、任意の色設定データＤＣと、カラーカメラ２から供給される映像信号ＳＰとに基づいて、色較正のための補正係数を計算する補正係数計算回路３と、補正係数に基づいて、映像信号ＳＰを色較正する色補正回路５とを備えてなる。【選択図】　　　図１
2004056531.tif 000002
【特許請求の範囲】
【請求項１】
赤色発光ダイオード、緑色発光ダイオード及び青色発光ダイオードから各々放射される赤色の基準光、緑色の基準光及び青色の基準光が合成された合成基準光を発生する基準光発生装置と、
前記赤色発光ダイオード、前記緑色発光ダイオード及び前記青色発光ダイオードの各々の発光波長データと、任意の色設定データと、カラーカメラから供給される映像信号とに基づいて、色較正のための補正係数を計算する補正係数計算回路と、
前記補正係数に基づいて、前記映像信号を色較正する色補正回路と
を備えてなることを特徴とするカラーカメラの較正システム。
【請求項２】
前記基準光発生装置は、
前記赤色発光ダイオード、前記緑色発光ダイオード及び前記青色発光ダイオードと、
前記赤色の基準光、前記緑色の基準光及び前記青色の基準光を透過光と反射光とに分離するハーフミラーと、
前記ハーフミラーからの透過光を指向性のない均一な前記合成基準光として出射する拡散板と、
前記ハーフミラーからの反射光の明るさを検出し、前記明るさに応じた光検出信号を出力する光検出素子と、
乾電池やバッテリから電力を供給され、前記光検出信号に基づいて、前記赤色発光ダイオード、前記緑色発光ダイオード及び前記青色発光ダイオードの明るさを一定に保持するように各々の出力レベルを調整する出力レベル調整回路と
を備えてなることを特徴とする請求項１記載のカラーカメラの較正システム。
【請求項３】
前記光検出素子は、
前記ハーフミラーからの反射光のうち、赤色の反射光の明るさを検出し、前記明るさに応じた赤光検出信号を出力する赤光検出素子と、前記ハーフミラーからの反射光のうち、緑色の反射光の明るさを検出し、前記明るさに応じた緑光検出信号を出力する緑光検出素子と、前記ハーフミラーからの反射光のうち、青色の反射光の明るさを検出し、前記明るさに応じた青光検出信号を出力する青光検出素子とからなり、
前記出力レベル調整回路は、前記赤光検出信号、前記緑光検出信号及び前記青光検出信号に基づいて、前記赤色発光ダイオード、前記緑色発光ダイオード及び前記青色発光ダイオードの明るさを、各々独立に一定に保持するように各々の出力レベルを調整することを特徴とする請求項２記載のカラーカメラの較正システム。
【請求項４】
前記赤色発光ダイオード、前記緑色発光ダイオード及び前記青色発光ダイオードの近傍の温度を検出し、前記温度に応じた温度検出信号を出力する温度センサを備え、
前記出力レベル調整回路は、前記光検出信号又は、前記赤光検出信号、前記緑光検出信号及び前記青光検出信号と、前記温度検出信号とに基づいて、前記赤色発光ダイオード、前記緑色発光ダイオード及び前記青色発光ダイオードの明るさを、これらの周囲温度の変化による影響を考慮しつつ、一定に保持するように各々の出力レベルを調整することを特徴とする請求項２又は３記載のカラーカメラの構成システム。
【請求項５】
カラーカメラの赤、緑、青の３原色の感度を較正するための合成基準光を放射する基準光発生装置において、
赤色の基準光を放射する赤色発光ダイオードと、
緑色の基準光を放射する緑色発光ダイオードと、
青色の基準光を放射する青色発光ダイオードと、
前記赤色の基準光、前記緑色の基準光及び前記青色の基準光を透過光と反射光とに分離するハーフミラーと、
前記ハーフミラーからの透過光を指向性のない均一な前記合成基準光として出射する拡散板と、
前記ハーフミラーからの反射光の明るさを検出し、前記明るさに応じた光検出信号を出力する光検出素子と、
乾電池やバッテリから電力を供給され、前記光検出信号に基づいて、前記赤色発光ダイオード、前記緑色発光ダイオード及び前記青色発光ダイオードの明るさを一定に保持するように各々の出力レベルを調整する出力レベル調整回路と
を備えてなることを特徴とする基準光発生装置。
【請求項６】
前記光検出素子は、
前記ハーフミラーからの反射光のうち、赤色の反射光の明るさを検出し、前記明るさに応じた赤光検出信号を出力する赤光検出素子と、前記ハーフミラーからの反射光のうち、緑色の反射光の明るさを検出し、前記明るさに応じた緑光検出信号を出力する緑光検出素子と、前記ハーフミラーからの反射光のうち、青色の反射光の明るさを検出し、前記明るさに応じた青光検出信号を出力する青光検出素子とからなり、
前記出力レベル調整回路は、前記赤光検出信号、前記緑光検出信号及び前記青光検出信号に基づいて、前記赤色発光ダイオード、前記緑色発光ダイオード及び前記青色発光ダイオードの明るさを、各々独立に一定に保持するように各々の出力レベルを調整することを特徴とする請求項５記載の基準光発生装置。
【請求項７】
前記赤色発光ダイオード、前記緑色発光ダイオード及び前記青色発光ダイオードの近傍の温度を検出し、前記温度に応じた温度検出信号を出力する温度センサを備え、
前記出力レベル調整回路は、前記光検出信号又は、前記赤光検出信号、前記緑光検出信号及び前記青光検出信号と、前記温度検出信号とに基づいて、前記赤色発光ダイオード、前記緑色発光ダイオード及び前記青色発光ダイオードの明るさを、これらの周囲温度の変化による影響を考慮しつつ、一定に保持するように各々の出力レベルを調整することを特徴とする請求項５又は６記載の基準光発生装置。
【請求項８】
投射型映像表示装置やカラーカメラを遠隔操作するためのリモートコントローラであって、
乾電池やバッテリから電力を供給され、前記遠隔操作のための機能を有するリモートコントロール部と、
前記乾電池や前記バッテリから電力を供給され、カラーカメラの赤、緑、青の３原色の感度を較正するための合成基準光を放射する基準光発生部とを備え、
前記基準光発生部は、
赤色の基準光を放射する赤色発光ダイオードと、緑色の基準光を放射する緑色発光ダイオードと、青色の基準光を放射する青色発光ダイオードと、前記赤色の基準光、前記緑色の基準光及び前記青色の基準光を透過光と反射光とに分離するハーフミラーと、前記ハーフミラーからの透過光を指向性のない均一な前記合成基準光として出射する拡散板と、前記ハーフミラーからの反射光の明るさを検出し、前記明るさに応じた光検出信号を出力する光検出素子と、乾電池やバッテリから電力を供給され、前記光検出信号に基づいて、前記赤色発光ダイオード、前記緑色発光ダイオード及び前記青色発光ダイオードの明るさを一定に保持するように各々の出力レベルを調整する出力レベル調整回路とを備えてなることを特徴とするリモートコントローラ。
【請求項９】
前記光検出素子は、
前記ハーフミラーからの反射光のうち、赤色の反射光の明るさを検出し、前記明るさに応じた赤光検出信号を出力する赤光検出素子と、前記ハーフミラーからの反射光のうち、緑色の反射光の明るさを検出し、前記明るさに応じた緑光検出信号を出力する緑光検出素子と、前記ハーフミラーからの反射光のうち、青色の反射光の明るさを検出し、前記明るさに応じた青光検出信号を出力する青光検出素子とからなり、
前記出力レベル調整回路は、前記赤光検出信号、前記緑光検出信号及び前記青光検出信号に基づいて、前記赤色発光ダイオード、前記緑色発光ダイオード及び前記青色発光ダイオードの明るさを、各々独立に一定に保持するように各々の出力レベルを調整することを特徴とする請求項８記載のリモートコントローラ。
【請求項１０】
前記赤色発光ダイオード、前記緑色発光ダイオード及び前記青色発光ダイオードの近傍の温度を検出し、前記温度に応じた温度検出信号を出力する温度センサを備え、
前記出力レベル調整回路は、前記光検出信号又は、前記赤光検出信号、前記緑光検出信号及び前記青光検出信号と、前記温度検出信号とに基づいて、前記赤色発光ダイオード、前記緑色発光ダイオード及び前記青色発光ダイオードの明るさを、これらの周囲温度の変化による影響を考慮しつつ、一定に保持するように各々の出力レベルを調整することを特徴とする請求項８又は９記載のリモートコントローラ。
【請求項１１】
前記合成基準光が放射される基準光放射部に前記カラーカメラのレンズ部に嵌合する嵌合部を備えてなることを特徴とする請求項８乃至１０のいずれか１に記載のリモートコントローラ。
【発明の詳細な説明】
【０００１】
【発明の属する技術分野】
この発明は、カラーカメラの較正システム、基準光発生装置及びリモートコントローラに関し、詳しくは、カラーカメラの赤（Ｒ）、緑（Ｇ）、青（Ｂ）の３原色の感度を較正するカラーカメラの較正システム、該システムを構成し、基準光を発生する基準光発生装置及び、該基準光発生装置を備えたリモートコントローラに関する。
【０００２】
【従来の技術】
特開平６−２３３３３３号公報には、従来のカラーカメラの較正システムが開示されている。この従来のカラーカメラの較正システムは、輝度基準光源としての緑色発光ダイオード（ＬＥＤ）から放射される緑色発光を用いてカラービデオカメラの赤（Ｒ）、緑（Ｇ）、青（Ｂ）の３原色の出力信号のうち、中央に位置する緑出力信号のレベルを設定値に調整し輝度較正を行うものである。この従来のカラーカメラの較正システムでは、所定の緑色発光強度を維持するための安定化回路が付与されている。
【０００３】
【発明が解決しようとする課題】
ところで、カラービデオカメラ、テレビ会議用のカメラや、プロジェクタ等の投射型映像表示装置の色較正を行う色較正用カメラにおいては、そのレンズやカラーフィルタの経年変化のために、撮影した映像の色が変化してしまうという問題がある。特に、色較正用カメラにおいては、その映像が色較正の基準となるため、その映像は常に正確な色味を保持している必要がある。そこで、予め光の波長が判明している基準光源を用いて各カラーカメラの赤（Ｒ）、緑（Ｇ）、青（Ｂ）の３原色の感度を較正（色較正）する必要がある。
ところが、上記した従来のカラーカメラの較正システムにおいては、輝度較正を行うことはできるが、色較正を行うことはできないという欠点があった。
また、上記した従来のカラーカメラの較正システムは、大型で携帯には向いていないという問題があった。
【０００４】
この発明は、上述の事情に鑑みてなされたもので、小型かつ簡単な構成でカラーカメラから出力される映像信号を任意の色に色較正することができるカラーカメラの較正システム、基準光発生装置及びリモートコントローラを提供することを目的としている。
【０００５】
【課題を解決するための手段】
上記課題を解決するために、請求項１記載の発明に係るカラーカメラの較正システムは、赤色発光ダイオード、緑色発光ダイオード及び青色発光ダイオードから各々放射される赤色の基準光、緑色の基準光及び青色の基準光が合成された合成基準光を発生する基準光発生装置と、上記赤色発光ダイオード、上記緑色発光ダイオード及び上記青色発光ダイオードの各々の発光波長データと、任意の色設定データと、カラーカメラから供給される映像信号とに基づいて、色較正のための補正係数を計算する補正係数計算回路と、上記補正係数に基づいて、上記映像信号を色較正する色補正回路とを備えてなることを特徴としている。
【０００６】
また、請求項２記載の発明は、請求項１記載のカラーカメラの較正システムに係り、上記基準光発生装置は、上記赤色発光ダイオード、上記緑色発光ダイオード及び上記青色発光ダイオードと、上記赤色の基準光、上記緑色の基準光及び上記青色の基準光を透過光と反射光とに分離するハーフミラーと、上記ハーフミラーからの透過光を指向性のない均一な上記合成基準光として出射する拡散板と、上記ハーフミラーからの反射光の明るさを検出し、上記明るさに応じた光検出信号を出力する光検出素子と、乾電池やバッテリから電力を供給され、上記光検出信号に基づいて、上記赤色発光ダイオード、上記緑色発光ダイオード及び上記青色発光ダイオードの明るさを一定に保持するように各々の出力レベルを調整する出力レベル調整回路とを備えてなることを特徴としている。
【０００７】
また、請求項３記載の発明は、請求項２記載のカラーカメラの較正システムに係り、上記光検出素子は、上記ハーフミラーからの反射光のうち、赤色の反射光の明るさを検出し、上記明るさに応じた赤光検出信号を出力する赤光検出素子と、上記ハーフミラーからの反射光のうち、緑色の反射光の明るさを検出し、上記明るさに応じた緑光検出信号を出力する緑光検出素子と、上記ハーフミラーからの反射光のうち、青色の反射光の明るさを検出し、上記明るさに応じた青光検出信号を出力する青光検出素子とからなり、上記出力レベル調整回路は、上記赤光検出信号、上記緑光検出信号及び上記青光検出信号に基づいて、上記赤色発光ダイオード、上記緑色発光ダイオード及び上記青色発光ダイオードの明るさを、各々独立に一定に保持するように各々の出力レベルを調整することを特徴としている。
【０００８】
また、請求項４記載の発明は、請求項２又は３記載のカラーカメラの構成システムに係り、上記赤色発光ダイオード、上記緑色発光ダイオード及び上記青色発光ダイオードの近傍の温度を検出し、上記温度に応じた温度検出信号を出力する温度センサを備え、上記出力レベル調整回路は、上記光検出信号又は、上記赤光検出信号、上記緑光検出信号及び上記青光検出信号と、上記温度検出信号とに基づいて、上記赤色発光ダイオード、上記緑色発光ダイオード及び上記青色発光ダイオードの明るさを、これらの周囲温度の変化による影響を考慮しつつ、一定に保持するように各々の出力レベルを調整することを特徴としている。
【０００９】
また、請求項５記載の発明は、カラーカメラの赤、緑、青の３原色の感度を較正するための合成基準光を放射する基準光発生装置に係り、赤色の基準光を放射する赤色発光ダイオードと、緑色の基準光を放射する緑色発光ダイオードと、青色の基準光を放射する青色発光ダイオードと、上記赤色の基準光、上記緑色の基準光及び上記青色の基準光を透過光と反射光とに分離するハーフミラーと、上記ハーフミラーからの透過光を指向性のない均一な上記合成基準光として出射する拡散板と、上記ハーフミラーからの反射光の明るさを検出し、上記明るさに応じた光検出信号を出力する光検出素子と、乾電池やバッテリから電力を供給され、上記光検出信号に基づいて、上記赤色発光ダイオード、上記緑色発光ダイオード及び上記青色発光ダイオードの明るさを一定に保持するように各々の出力レベルを調整する出力レベル調整回路とを備えてなることを特徴としている。
【００１０】
また、請求項６記載の発明は、請求項５記載の基準光発生装置に係り、上記光検出素子は、上記ハーフミラーからの反射光のうち、赤色の反射光の明るさを検出し、上記明るさに応じた赤光検出信号を出力する赤光検出素子と、上記ハーフミラーからの反射光のうち、緑色の反射光の明るさを検出し、上記明るさに応じた緑光検出信号を出力する緑光検出素子と、上記ハーフミラーからの反射光のうち、青色の反射光の明るさを検出し、上記明るさに応じた青光検出信号を出力する青光検出素子とからなり、上記出力レベル調整回路は、上記赤光検出信号、上記緑光検出信号及び上記青光検出信号に基づいて、上記赤色発光ダイオード、上記緑色発光ダイオード及び上記青色発光ダイオードの明るさを、各々独立に一定に保持するように各々の出力レベルを調整することを特徴としている。
【００１１】
また、請求項７記載の発明は、請求項５又は６記載の基準光発生装置に係り、上記赤色発光ダイオード、上記緑色発光ダイオード及び上記青色発光ダイオードの近傍の温度を検出し、上記温度に応じた温度検出信号を出力する温度センサを備え、上記出力レベル調整回路は、上記光検出信号又は、上記赤光検出信号、上記緑光検出信号及び上記青光検出信号と、上記温度検出信号とに基づいて、上記赤色発光ダイオード、上記緑色発光ダイオード及び上記青色発光ダイオードの明るさを、これらの周囲温度の変化による影響を考慮しつつ、一定に保持するように各々の出力レベルを調整することを特徴としている。
【００１２】
また、請求項８記載の発明は、投射型映像表示装置やカラーカメラを遠隔操作するためのリモートコントローラに係り、乾電池やバッテリから電力を供給され、上記遠隔操作のための機能を有するリモートコントロール部と、上記乾電池や上記バッテリから電力を供給され、カラーカメラの赤、緑、青の３原色の感度を較正するための合成基準光を放射する基準光発生部とを備え、上記基準光発生部は、赤色の基準光を放射する赤色発光ダイオードと、緑色の基準光を放射する緑色発光ダイオードと、青色の基準光を放射する青色発光ダイオードと、上記赤色の基準光、上記緑色の基準光及び上記青色の基準光を透過光と反射光とに分離するハーフミラーと、上記ハーフミラーからの透過光を指向性のない均一な上記合成基準光として出射する拡散板と、上記ハーフミラーからの反射光の明るさを検出し、上記明るさに応じた光検出信号を出力する光検出素子と、乾電池やバッテリから電力を供給され、上記光検出信号に基づいて、上記赤色発光ダイオード、上記緑色発光ダイオード及び上記青色発光ダイオードの明るさを一定に保持するように各々の出力レベルを調整する出力レベル調整回路とを備えてなることを特徴としている。
【００１３】
また、請求項９記載の発明は、請求項８記載のリモートコントローラに係り、上記光検出素子は、上記ハーフミラーからの反射光のうち、赤色の反射光の明るさを検出し、上記明るさに応じた赤光検出信号を出力する赤光検出素子と、上記ハーフミラーからの反射光のうち、緑色の反射光の明るさを検出し、上記明るさに応じた緑光検出信号を出力する緑光検出素子と、上記ハーフミラーからの反射光のうち、青色の反射光の明るさを検出し、上記明るさに応じた青光検出信号を出力する青光検出素子とからなり、上記出力レベル調整回路は、上記赤光検出信号、上記緑光検出信号及び上記青光検出信号に基づいて、上記赤色発光ダイオード、上記緑色発光ダイオード及び上記青色発光ダイオードの明るさを、各々独立に一定に保持するように各々の出力レベルを調整することを特徴としている。
【００１４】
また、請求項１０記載の発明は、請求項８又は９記載のリモートコントローラに係り、上記赤色発光ダイオード、上記緑色発光ダイオード及び上記青色発光ダイオードの近傍の温度を検出し、上記温度に応じた温度検出信号を出力する温度センサを備え、上記出力レベル調整回路は、上記光検出信号又は、上記赤光検出信号、上記緑光検出信号及び上記青光検出信号と、上記温度検出信号とに基づいて、上記赤色発光ダイオード、上記緑色発光ダイオード及び上記青色発光ダイオードの明るさを、これらの周囲温度の変化による影響を考慮しつつ、一定に保持するように各々の出力レベルを調整することを特徴としている。
【００１５】
また、請求項１１記載の発明は、請求項８乃至１０のいずれか１に記載のリモートコントローラに係り、上記合成基準光が放射される基準光放射部に上記カラーカメラのレンズ部に嵌合する嵌合部を備えてなることを特徴としている。
【００１６】
【発明の実施の形態】
以下、図面を参照して、この発明の実施の形態について説明する。説明は、実施例を用いて具体的に行う。
Ａ．第１の実施例
まず、この発明の第１の実施例について説明する。
図１は、この発明の第１の実施例であるカラーカメラの較正システムの構成を示す概略図である。
この例のカラーカメラの較正システムは、基準光発生装置１と、カラーカメラ２と、補正係数計算回路３と、補正係数レジスタ４と、色補正回路５とから構成されている。
【００１７】
基準光発生装置１は、赤（Ｒ）色ＬＥＤ１１から放射される赤色の基準光、緑（Ｇ）色ＬＥＤ１２から放射される緑色の基準光、青（Ｂ）色ＬＥＤ１３から放射される青色の基準光が合成された合成基準光ＬＲＧＢを発生する。また、基準光発生装置１は、その先端１ａがカラーカメラ２のレンズ部２ａに嵌合された状態で使用される。カラーカメラ２は、色較正対象のカラーカメラであり、例えば、カラービデオカメラ、テレビ会議用のカメラ、あるいは色較正用カメラからなり、映像信号ＳＰを補正係数計算回路３及び色補正回路５に供給する。補正係数計算回路３は、外部から供給される、赤色ＬＥＤ１１の発光波長データＤＲ、緑色ＬＥＤ１２の発光波長データＤＧ及び青色ＬＥＤ１３の発光波長データＤＢと、外部から供給される任意の色設定データＤＣと、カラーカメラ２から供給される映像信号ＳＰとに基づいて、色較正のための補正係数を計算し、補正係数レジスタ４に記憶する。発光波長データＤＲ、ＤＧ及びＤＢは、予め測定されているものとする。補正係数レジスタ４は、例えば、ＲＡＭ、フラッシュメモリ等からなり、上記補正係数が記憶される。色補正回路５は、補正係数レジスタ４から読み出した補正係数に基づいて、カラーカメラ２から供給される映像信号ＳＰを色較正し、色設定データＤＣで設定された色較正後の映像信号を映像出力信号ＳＯＵＴとして出力する。
【００１８】
次に、図２は、基準光発生装置１の構成を示す概略図である。この例の基準光発生装置１は、赤色ＬＥＤ１１と、緑色ＬＥＤ１２と、青色ＬＥＤ１３と、ハーフミラー１４と、拡散板１５と、光検出素子１６と、出力レベル調整回路１７と、乾電池１８とから構成されている。ハーフミラー１４は、赤色ＬＥＤ１１から放射される赤色の基準光、緑色ＬＥＤ１２から放射される緑色の基準光及び青色ＬＥＤ１３から放射される青色の基準光を透過光と反射光とに分離し、透過光を拡散板１５に入射させるとともに、反射光を光検出素子１６に入射させる。拡散板１５は、ハーフミラー１４の透過光を指向性のない均一な合成基準光ＬＲＧＢとして出射する。光検出素子１６は、ハーフミラー１４の反射光の発光光度、すなわち、明るさを検出し、明るさに応じた光検出信号ＳＬを出力レベル調整回路１７に供給する。出力レベル調整回路１７は、乾電池１８から電力を供給され、光検出信号ＳＬに基づいて赤色ＬＥＤ１１、緑色ＬＥＤ１２及び青色ＬＥＤ１３の明るさを一定に保持するように各々の出力レベルを調整する。
【００１９】
次に、上記構成のカラーカメラの較正システムの動作について説明する。まず、操作者は、基準光発生装置１の先端１ａをカラーカメラ２のレンズ部２ａに嵌合させた後、基準光発生装置１に電源を投入する。これにより、赤色ＬＥＤ１１、緑色ＬＥＤ１２及び青色ＬＥＤ１３各々から放射された赤色の基準光、緑色の基準光及び青色の基準光は、ハーフミラー１４により透過光と反射光とに分離される。このうち、透過光は、拡散板１５により指向性のない均一な合成基準光ＬＲＧＢとされた後、カラーカメラ２のレンズ部２ａに入射される。
一方、ハーフミラー１４の反射光は、光検出素子１６に入射される。これにより、光検出素子１６は、ハーフミラー１４の反射光の明るさを検出し、明るさに応じた光検出信号ＳＬを出力レベル調整回路１７に供給する。出力レベル調整回路１７は、光検出信号ＳＬに基づいて赤色ＬＥＤ１１、緑色ＬＥＤ１２及び青色ＬＥＤ１３の出力レベルを調整する。具体的には、出力レベル調整回路１７は、予め設定された基準値と光検出信号ＳＬを比較して、赤色ＬＥＤ１１、緑色ＬＥＤ１２及び青色ＬＥＤ１３の制御電流又は電圧を決定して各々の出力レベルを調整する。したがって、赤色ＬＥＤ１１、緑色ＬＥＤ１２及び青色ＬＥＤ１３の明るさが常に一定に保持されるので、合成基準光ＬＲＧＢは、常に一定の明るさに保持される。
【００２０】
このように一定の明るさに保持された合成基準光ＬＲＧＢは、カラーカメラ２により撮影され、カラーカメラ２からは合成基準光ＬＲＧＢに応じた映像信号ＳＰが出力され、補正係数計算回路３及び色補正回路５に供給される。これにより、補正係数計算回路３において、発光波長データＤＲ、ＤＧ及びＤＢと、色設定データＤＣと、カラーカメラ２から供給される映像信号ＳＰとに基づいて、色較正のための補正係数が計算され、補正係数レジスタ４に記憶される。したがって、カラーカメラ２から供給された映像信号ＳＰは、色補正回路５において、補正係数レジスタ４から読み出された補正係数に基づいて、色較正された後、色設定データＤＣで設定された色較正後の映像信号が映像出力信号ＳＯＵＴとして出力される。
【００２１】
このように、この例の構成によれば、基準光源として常に安定した明るさで発光する赤色ＬＥＤ１１、緑色ＬＥＤ１２及び青色ＬＥＤ１３を用いてカラーカメラの色較正をしているので、基準光発生装置１を小型化、電池駆動化することができ、場所を選ぶことなくカラーカメラの色較正をすることができる。
【００２２】
Ｂ．第２の実施例
次に、この発明の第２の実施例について説明する。
図３は、この発明の第２の実施例であるカラーカメラの較正システムの構成を示す概略図である。図３において、図１の各部に対応する部分には同一の符号を付け、その説明を省略する。図３に示すカラーカメラの較正システムにおいては、図１に示す基準光発生装置１に換えて、基準光発生装置２１が新たに設けられている。基準光発生装置２１は、赤色ＬＥＤ１１から放射される赤色の基準光、緑色ＬＥＤ１２から放射される緑色の基準光、青色ＬＥＤ１３から放射される青色の基準光が合成された合成基準光ＬＲＧＢを発生する。また、基準光発生装置２１は、その先端２１ａがカラーカメラ２のレンズ部２ａに嵌合された状態で使用される。
【００２３】
次に、図４は、基準光発生装置２１の構成を示す概略図である。図４において、図２の各部に対応する部分には同一の符号を付け、その説明を省略する。図４に示す基準光発生装置２１においては、図２に示す光検出素子１６及び出力レベル調整回路１７に換えて、光検出素子２２〜１４及び出力レベル調整回路２５が新たに設けられている。また、図４に示す基準光発生装置２１においては、温度センサ２６が新たに設けられている。光検出素子２２は、ハーフミラー１４の反射光のうち、赤色の反射光の発光光度、すなわち、明るさを検出し、明るさに応じた光検出信号ＳＲを出力レベル調整回路２５に供給する。同様に、光検出素子２３は、ハーフミラー１４の反射光のうち、緑色の反射光の発光光度、すなわち、明るさを検出し、明るさに応じた光検出信号ＳＧを出力レベル調整回路２５に供給する。光検出素子２４は、ハーフミラー１４の反射光のうち、青色の反射光の発光光度、すなわち、明るさを検出し、明るさに応じた光検出信号ＳＢを出力レベル調整回路２５に供給する。
【００２４】
温度センサ２６は、赤色ＬＥＤ１１、緑色ＬＥＤ１２及び青色ＬＥＤ１３近傍の温度を検出し、温度に応じた温度検出信号ＳＴを出力レベル調整回路２５に供給する。出力レベル調整回路２５は、乾電池１８から電力を供給され、光検出信号ＳＲ、ＳＧ及びＳＢと、温度検出信号ＳＴに基づいて、赤色ＬＥＤ１１、緑色ＬＥＤ１２及び青色ＬＥＤ１３の明るさを、これらの周囲温度の変化による影響を考慮しつつ、各々独立に一定に保持するように各々の出力レベルを調整する。
【００２５】
次に、上記構成のカラーカメラの較正システムの動作について説明する。まず、操作者は、基準光発生装置２１の先端２１ａをカラーカメラ２のレンズ部２ａに嵌合させた後、基準光発生装置２１に電源を投入する。これにより、赤色ＬＥＤ１１、緑色ＬＥＤ１２及び青色ＬＥＤ１３各々から放射された赤色の基準光、緑色の基準光及び青色の基準光は、ハーフミラー１４により透過光と反射光とに分離される。このうち、透過光は、拡散板１５により指向性のない均一な合成基準光ＬＲＧＢとされた後、カラーカメラ２のレンズ部２ａに入射される。
一方、ハーフミラー１４の反射光は、光検出素子１６に入射される。これにより、光検出素子２２は、ハーフミラー１４の反射光のうち、赤色の反射光の明るさを検出し、明るさに応じた光検出信号ＳＲを出力レベル調整回路２５に供給する。同様に、光検出素子２３は、ハーフミラー１４の反射光のうち、緑色の反射光の明るさを検出し、明るさに応じた光検出信号ＳＧを出力レベル調整回路２５に供給する。光検出素子２４は、ハーフミラー１４の反射光のうち、青色の反射光の明るさを検出し、明るさに応じた光検出信号ＳＢを出力レベル調整回路２５に供給する。
【００２６】
また、温度センサ２６は、赤色ＬＥＤ１１、緑色ＬＥＤ１２及び青色ＬＥＤ１３近傍の温度を検出し、温度に応じた温度検出信号ＳＴを出力レベル調整回路２５に供給する。出力レベル調整回路２５は、光検出信号ＳＲ、ＳＧ及びＳＢと、温度検出信号ＳＴに基づいて、赤色ＬＥＤ１１、緑色ＬＥＤ１２及び青色ＬＥＤ１３の明るさを、これらの周囲温度の変化による影響を考慮しつつ、各々独立に一定に保持するように各々の出力レベルを調整する。具体的には、出力レベル調整回路２５は、予め設定された周囲温度に応じた赤色の基準光、緑色の基準光及び青色の基準光各々の基準値と光検出信号ＳＲ、ＳＧ及びＳＢを比較して、赤色ＬＥＤ１１、緑色ＬＥＤ１２及び青色ＬＥＤ１３の制御電流又は電圧を決定して各々の出力レベルを調整する。したがって、赤色ＬＥＤ１１、緑色ＬＥＤ１２及び青色ＬＥＤ１３の明るさが常に一定に保持されるので、合成基準光ＬＲＧＢは、常に一定の明るさに保持される。
なお、これ以降のカラーカメラの較正システムの動作については、上記した第１の実施例における動作と略同様であるので、その説明を省略する。
【００２７】
このように、この例の構成によれば、光検出素子２２〜１４及び温度センサ２６を設け、出力レベル調整回路２５は、光検出信号ＳＲ、ＳＧ及びＳＢと、温度検出信号ＳＴに基づいて、赤色ＬＥＤ１１、緑色ＬＥＤ１２及び青色ＬＥＤ１３の明るさを、これらの周囲温度の変化による影響を考慮しつつ、各々独立に一定に保持するように各々の出力レベルを調整している。したがって、この例の構成によれば、上記した第１の実施例により得られる効果の他、より精確な合成基準光ＬＲＧＢを提供することができる。これにより、カラーカメラの色較正をより厳密に行うことができる。
【００２８】
Ｃ．第３の実施例
次に、この発明の第３の実施例について説明する。
図５は、この発明の第３の実施例であるリモートコントローラ３１の構成を示すブロック図である。この例のリモートコントローラ３１は、例えば、プロジェクタ等の投射型映像表示装置を遠隔操作するためのものであり、またカラーカメラの色較正をするための基準光を発生する機能をも備えている。この例のリモートコントローラ３１は、リモートコントロール部３２と、基準光発生部３３と、操作部３４と、電源回路３５と、乾電池３６とから構成されている。
【００２９】
リモートコントロール部３２は、電源回路３５から電力を供給され、例えば、プロジェクタ等の投射型映像表示装置を遠隔操作するための機能を有している。基準光発生部３３は、電源回路３５から電力を供給され、合成基準光を発生するための機能を有しており、具体的には、図２に示す基準光発生装置１又は図４に示す基準光発生装置２１の構成及び機能から乾電池１８を取り除いたものに相当する。操作部３４は、リモートコントロール部３２及び基準光発生部３３に操作者が所望する機能を発揮させるための指示に用いる各種のスイッチやキーと、対応するスイッチに応じた信号を発生してリモートコントロール部３２及び基準光発生部３３に供給する信号発生部とから構成されている。なお、スイッチやキーの種類及び機能については後述する。電源回路３５は、乾電池３６により供給される電力に基づいて、リモートコントロール部３２及び基準光発生部３３に所定の電力を供給する。
【００３０】
図６は、リモートコントローラ３１の外観構成を示す平面図、図７は、リモートコントローラ３１の外観構成を示す一部斜視図である。
リモートコントローラ３１には、図６及び図７に示すように、電源スイッチ４１と、基準光発生スイッチ４２と、レーザポインタスイッチ４３と、メニュースイッチ４４と、入力切換スイッチ４５と、画面ミュートスイッチ４６と、８方向選択キー４７と、拡大／縮小スイッチ４８と、ひずみ補正スイッチ４９と、静止画スイッチ５０と、音量調整キー５１と、ズームキー５２と、基準光発生状態表示灯５３と、基準光放射部５４と、レーザ光放射部５５と、リモコン光放射部５６及び５７とが設けられている。
【００３１】
電源スイッチ４１は、図示せぬ投射型映像表示装置に電源の投入を指示するためのスイッチである。基準光発生スイッチ４２は、リモートコントローラ３１に合成基準光の発生を指示するためのスイッチである。レーザポインタスイッチ４３は、投射映像が投射されているスクリーン（図示略）に例えば、赤色のレーザポインタの表示をリモートコントローラ３１に指示するためのスイッチである。メニュースイッチ４４は、図示せぬスクリーンに表示されるメニュー画面の中から１つの機能を選択するためのスイッチである。入力切換スイッチ４５は、図示せぬ投射型映像表示装置に接続された各種入力信号（例えば、ＲＧＢ１、ＲＧＢ２、ＶＩＤＥＯ、Ｓ−ＶＥＤＥＯ）を切り換えるためのスイッチである。画面ミュートスイッチ４６は、図示せぬ投射型映像表示装置に画面ミュート機能を実施させるためのスイッチである。
【００３２】
８方向選択キー４７は、図示せぬスクリーンに表示されたレーザポインタを移動させたり、メニュー画面を構成する各種機能を選択するためのキーである。拡大／縮小スイッチ４８は、図示せぬスクリーンに投射された投射映像の拡大又は縮小を指示するためのスイッチである。ひずみ補正スイッチ４９は、図示せぬクリーンに対して投射光軸を傾斜させて映像を投射することによって生じる投射映像の歪みを補正する際に用いられるスイッチである。静止画スイッチ５０は、図示せぬスクリーンに表示されている動画像のうち、操作者が希望する画像を固定するために用いられるスイッチである。音量調整キー５１は、図示せぬスクリーンに表示されている動画像に対応して図示せぬ投射型映像表示装置から放射されている音量を調整するためのキーである。ズームキー５２は、図示せぬ投射型映像表示装置を構成するレンズが電動式である場合に、図示せぬスクリーンに表示されている画像の一部をズームさせたり、フォーカスを合わせたりするために用いられるキーである。
【００３３】
基準光発生状態表示灯５３は、例えば、ＬＥＤなどからなり、基準光発生部３３から一定の明るさに保持された合成基準光ＬＲＧＢが放射されるようになった場合に点灯する。基準光放射部５４は、合成基準光が放射される開口部である。レーザ光放射部５５は、例えば、半導体レーザからレーザポインタとして図示せぬスクリーンに表示される例えば、赤色の光が放射される開口部である。リモコン光放射部５６及び５７は、図示せぬ投射型映像表示装置を遠隔操作するためにリモートコントローラ３１を構成する操作部３４の操作に応じた光信号が放射される開口部である。
【００３４】
次に、上記構成のリモートコントローラ３１を用いたカラーカメラの較正システムの動作について説明する。まず、操作者は、色較正の対象であるカラーカメラに、図１又は図３に示すように、発光波長データＤＲ、ＤＧ及びＤＢと、色設定データＤＣが供給された補正係数計算回路３と、補正係数レジスタ４及び色補正回路５を接続した後、図８に示すように、図７に示す基準光放射部５４の凸状の嵌合部３１ａをカラーカメラの凹状のレンズ部６１に嵌合させる。次に、操作者は、リモートコントローラ３１の基準光発生スイッチ４２を押下する。これ以降は、リモートコントローラ３１は、図１及び図２に示す基準光発生装置１又は図３及び図４に示す基準光発生装置２１と略同様の動作を行う。そして、リモートコントローラ３１を構成する基準光発生部３３から一定の明るさに保持された合成基準光ＬＲＧＢが放射されるようになると、基準光発生状態表示灯５３が点灯する。そこで、操作者は、当該カラーカメラの色補正を開始する。
なお、これ以降のカラーカメラの較正システムの動作については、上記した第１の実施例における動作と略同様であるので、その説明を省略する。
このように、この例の構成によれば、リモートコントローラ３１に基準光発生部３３を設けたので、手軽にどこの場所でもカラーカメラの色較正を実行することができる。
【００３５】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、図４に示す基準光発生装置２１にのみ温度センサ２６を設ける例を示したが、これに限定されず、図２に示す基準光発生装置１にも温度センサ２６を設けるとともに、出力レベル調整回路１７は、光検出信号ＳＬと温度検出信号ＳＴに基づいて、赤色ＬＥＤ１１、緑色ＬＥＤ１２及び青色ＬＥＤ１３の明るさを、これらの周囲温度の変化による影響を考慮しつつ、一定に保持するように各々の出力レベルを調整するように構成しても良い。
また、上述の第３の実施例においては、リモートコントローラ３１はプロジェクタ等の投射型映像表示装置を遠隔操作するためのものである例を示したが、これに限定されず、カラーカメラを遠隔操作するためのものであっても良い。
【００３６】
また、上述の第３の実施例においては、基準光発生状態表示灯５３は、基準光発生部３３から一定の明るさに保持された合成基準光ＬＲＧＢが放射されるようになった場合に点灯する例を示したが、これに限定されず、基準光発生状態表示灯５３は、基準光発生スイッチ４２が押下された際にある色で点灯し、基準光発生部３３から一定の明るさに保持された合成基準光ＬＲＧＢが放射されるようになった場合に他の色で点灯するように構成しても良い。
また、図８に示すように、嵌合部３１ａ及びカラーカメラのレンズ部６１の形状が四角形状である例を示したが、これに限定されず、嵌合部３１ａ及びカラーカメラのレンズ部６１の形状は円形状でも楕円形状でも良い。さらに、嵌合部３１ａだけを凸状としてその外周にウレタンやスポンジ等からなるクッション材を取り付け、リモートコントローラ３１を基準光発生装置として使用する際に嵌合部３１ａをカラーカメラのレンズ部に押しつけるように構成しても良い。
【００３７】
また、上述の各実施例においては、電源は、乾電池である例を示したが、これに限定されず、バッテリでも良い。
また、上述の各実施例においては、各手段をハードウェアで構成した例を示したが、これに限定されない。すなわち、上記カラーカメラの較正システムを、ＣＰＵ（中央処理装置）と、ＲＯＭやＲＡＭ等の内部記憶装置と、ＦＤＤ（フレキシブル・ディスク・ドライバ）、ＨＤＤ（ハード・ディスク・ドライバ）、ＣＤ−ＲＯＭドライバ等の外部記憶装置と、出力手段と、入力手段とを有するコンピュータによって構成し、上記補正係数計算回路３及び色補正回路５がＣＰＵによって構成され、これらの機能がカラーカメラの較正プログラムとして、ＲＯＭ等の半導体メモリや、ＦＤ、ＨＤやＣＤ−ＲＯＭ等の記憶媒体に記憶されていると構成しても良い。この場合、上記内部記憶装置、あるいは外部記憶装置が補正係数レジスタ４となり、カラーカメラの較正プログラムは、記憶媒体からＣＰＵに読み込まれ、ＣＰＵの動作を制御する。ＣＰＵは、カラーカメラの較正プログラムが起動されると、補正係数計算回路３及び色補正回路５として機能し、カラーカメラの較正プログラムの制御により、上記した処理を実行するのである。
【００３８】
【発明の効果】
以上説明したように、この発明の構成によれば、小型かつ簡単な構成でカラーカメラから出力される映像信号を任意の色に色較正をすることができる。
また、この発明の別の構成によれば、より精確な合成基準光を放射することができ、カラーカメラの色較正をより厳密に行うことができる。
また、この発明の別の構成によれば、手軽にどこの場所でもカラーカメラの色較正を実行することができる。
【図面の簡単な説明】
【図１】この発明の第１の実施例であるカラーカメラの較正システムの構成を示す概略図である。
【図２】同システムを構成する基準光発生装置の構成を示す概略図である。
【図３】この発明の第２の実施例であるカラーカメラの較正システムの構成を示す概略図である。
【図４】同システムを構成する基準光発生装置の構成を示す概略図である。
【図５】この発明の第３の実施例であるリモートコントローラ３１の構成を示すブロック図である。
【図６】同リモートコントローラ３１の外観構成を示す平面図である。
【図７】同リモートコントローラ３１の外観構成を示す一部斜視図である。
【図８】同リモートコントローラ３１の嵌合部３１ａ及びカラーカメラのレンズ部６１を示す概略図である。
【符号の説明】
１，２１　　　基準光発生装置
１ａ，２１ａ　先端
２　　　　　　カラーカメラ
２ａ，６１　　レンズ部
３　　　補正係数計算回路
４　　　補正係数レジスタ
５　　　色補正回路
１１　　赤色ＬＥＤ
１２　　緑色ＬＥＤ
１３　　青色ＬＥＤ
１４　　ハーフミラー
１５　　拡散板
１６，２２〜２４　光検出素子
１７，２５　　　　出力レベル調整回路
１８，３６　　　　乾電池
２６　　温度センサ
３１　　リモートコントローラ
３２　　リモートコントロール部
３３　　基準光発生部
３４　　操作部
３５　　電源回路
ＬＲＧＢ　合成基準光
【図１】
2004056531.tif 000003
【図２】
2004056531.tif 000004
【図３】
2004056531.tif 000005
【図４】
2004056531.tif 000006
【図５】
2004056531.tif 000007
【図６】
2004056531.tif 000008
【図７】
2004056531.tif 000009
【図８】
2004056531.tif 000010